(57)【要約】【課題】複数の翼を有する羽根車（30）の重心位置をバランスウェイトで回転軸上に合わせて羽根車（30）の回転を安定させる。【解決手段】第１脚部（61）と、第２脚部（62）と、第１脚部（61）と第２脚部（62）とに連続するＵ字形の湾曲部（63）とを有する主バランスウェイト（60）を、羽根車（30）のウェイト取付部に第１脚部（61）と第２脚部（62）で挟み込んで取り付ける。主バランスウェイト（60）には、別部材である補助バランスウェイト（70）が係合可能な第１係合部（64）を設ける。【選択図】図５
2019218865.tif 000002
【特許請求の範囲】
【請求項１】
送風機（10）の羽根車（30）に取り付け可能なバランスウェイトであって、
第１方向に延びる第１脚部（61）と、
第１方向と直交またはほぼ直交する第２方向において前記第１脚部と対向する第２脚部（62）と、
Ｕ字形状に湾曲し、前記第１方向の一端において前記第１脚部（61）と前記第２脚部（62）とに連続する湾曲部（63）と、を有し、
前記第１脚部（61）と前記第２脚部（62）で挟み込むことで前記羽根車（30）に装着される主バランスウェイト（60）により構成され、
主バランスウェイト（60）とは別の部材である補助バランスウェイト（70）が係合可能な第１係合部（64）を備えることを特徴とするバランスウェイト。
【請求項２】
請求項１において、
前記第１係合部（64）は、前記第１脚部（61）に設けられた凸部、凹部、切欠き、開口のいずれかであることを特徴とするバランスウェイト。
【請求項３】
請求項２において、
前記第１係合部（64）は前記第１脚部（61）の前記第２脚部（62）と対向しない側の面から前記第２方向に突出する凸部であることを特徴とするバランスウェイト。
【請求項４】
請求項１から３の何れか１つにおいて、
前記第２方向において前記第１脚部（61）から前記第２脚部（62）に近づく方向に伸びる第１係止部（65）と、
前記第２方向において前記第２脚部（62）から前記第１脚部（61）に近づく方向に伸びる第２係止部（66）と、を有する
ことを特徴とするバランスウェイト。
【請求項５】
請求項４において、
前記第１方向と前記第２方向とに直交する直交方向において、前記第１係止部（65）と前記第２係止部（66）が対向しない位置に配置されることを特徴とするバランスウェイト。
【請求項６】
請求項４または５において、
前記第１係止部（65）は、前記第１方向と前記第２方向とに直交する直交方向における端部に配置され、
前記第２係止部（66）は、前記直交方向における端部に配置されていることを特徴とするバランスウェイト。
【請求項７】
請求項１から６の何れか１つにおいて、
前記第１脚部（61）及び第２脚部（62）は、前記第１方向の長さが、前記第１方向と前記第２方向とに直交する直交方向の長さよりも長いことを特徴とするバランスウェイト。
【請求項８】
請求項１から７の何れか１つにおいて、
前記第１脚部（61）は、前記第１方向における前記第１脚部の中心、または、前記第１方向における前記第１脚部の中心位置よりも前記第１脚部の前記湾曲部とは反対側の端部側に前記第１係合部（64）が配置されることを特徴とするバランスウェイト。
【請求項９】
請求項１から８の何れか１つに記載のバランスウェイトにおいて、
さらに、補助バランスウェイト（70）を備え、
前記補助バランスウェイト（70）は、前記第１方向に延びる第３脚部（71）と、前記第２方向において前記第３脚部と対向する第４脚部（72）と、Ｕ字形状に湾曲し第１方向の一端において前記第３脚部（71）と前記第４脚部（72）とに連続する第２湾曲部（73）と、前記第１脚部と前記第２脚部とを前記補助バランスウェイトで挟んだときに前記第１係合部（64）と係合可能な第２係合部（74）を有することを特徴とするバランスウェイト。
【請求項１０】
請求項９において、
前記第２係合部（74）は、前記第３脚部（71）と前記第４脚部（72）とに設けられていることを特徴とするバランスウェイト。
【請求項１１】
請求項９または１０において、
前記第２係合部（74）は、前記第３脚部（71）及び第４脚部（72）に設けられ前記第１係合部（64）と係合するように設けられた凸部、凹部、切欠き、開口のいずれかであることを特徴とするバランスウェイト。
【請求項１２】
請求項９から１１の何れか１つにおいて、
前記第１係合部（64）は、前記第１脚部（61）の前記第２脚部（62）と対向しない側の面から前記第２方向に突出する凸部であり、
前記第２係合部（74）は、第１係合部（64）と係合する開口であることを特徴とするバランスウェイト。
【請求項１３】
羽根車（30）と、羽根車（30）が有するハブ（31）のウェイト取付部（51，52）に取り付けられたバランスウェイト（50）とを有する送風機であって、
前記バランスウェイト（50）が、請求項１から１２の何れか１つのバランスウェイトである
ことを特徴とする送風機。
【請求項１４】
請求項１３において、
前記ハブ（31）のウェイト取付部（51，52）が、前記ハブ（31）の筒状部の内側に放射状に配置された複数の板状の部分であり、
複数のウェイト取付部（51，52）に前記バランスウェイト（50）が取り付けられている
ことを特徴とする送風機。
【発明の詳細な説明】
【技術分野】
【０００１】
本開示は、バランスウェイト及び送風機に関するものである。
【背景技術】
【０００２】
例えば空気調和装置の室外機において、少なくとも１枚は回転の軸方向の重心位置が異なる複数の翼を有する羽根車を有する送風機を用い、騒音低減を図ったものがある（例えば、特許文献１参照）。
【先行技術文献】
【特許文献】
【０００３】
【特許文献１】特開２００７−０３２２８４号公報
【発明の概要】
【発明が解決しようとする課題】
【０００４】
羽根車には、重心を回転中心に合わせるためにバランスウェイトが設けられるが、羽根車の全体としての重心位置を回転軸上に合わせるのは容易ではない。羽根車の重心位置を回転軸状に合わせることは、翼の形状が同一で等ピッチの羽根車であっても重要である。
【０００５】
本開示の目的は、複数の翼を有する羽根車の重心位置をバランスウェイトで回転軸上に合わせて羽根車の回転を安定させることである。
【課題を解決するための手段】
【０００６】
本開示の第１の態様は、
送風機（10）の羽根車（30）に取り付け可能なバランスウェイトであって、
第１方向に延びる第１脚部（61）と、
第１方向と直交またはほぼ直交する第２方向において前記第１脚部と対向する第２脚部（62）と、
Ｕ字形状に湾曲し、前記第１方向の一端において前記第１脚部（61）と前記第２脚部（62）とに連続する湾曲部（63）と、を有し、
前記第１脚部（61）と前記第２脚部（62）で挟み込むことで前記羽根車（30）に装着される主バランスウェイト（60）により構成され、
主バランスウェイト（60）とは別の部材である補助バランスウェイト（70）が係合可能な第１係合部（64）を備えることを特徴とする。
【０００７】
第１の態様では、羽根車（30）の所定位置で、羽根車（30）の一部を第１脚部（61）と第２脚部（62）で挟み込むことにより主バランスウェイト（60）を装着し、１つの主バランスウェイト（60）で羽根車（30）のバランスを取ることができる。しかも、主バランスウェイト（60）には、別の部材である補助バランスェイトが係合可能な第１係合部（64）が設けられているので、主バランスウェイト（60）と補助バランスウェイト（70）を組み合わせて用いることもできる。したがって、１枚の主バランスウェイト（60）だけで重心位置を調整することができるうえ、羽根車（30）の重心位置を主バランスウェイト（60）１つだけでは調整できない場合に、補助バランスウェイト（70）を主バランスウェイト（60）に取り付けることで、一つ分のバランスウェイトのスペースで大きなアンバランス量も調整可能になる効果がある。
【０００８】
本開示の第２の態様は、第１の態様において、
前記第１係合部（64）は、前記第１脚部（61）に設けられた凸部、凹部、切欠き、開口のいずれかであることを特徴とする。
【０００９】
第２の態様では、第１脚部（61）に設けられた凸部、凹部、切欠き、開口からなる第１係合部（64）に対して係合する構成部分を補助バランスウェイト（70）に設けることにより、補助バランスウェイト（70）を主バランスウェイト（60）の第１脚部（61）に容易に装着できる。
【００１０】
本開示の第３の態様は、第２の態様において、
前記第１係合部（64）は前記第１脚部（61）の前記第２脚部（62）と対向しない側の面から前記第２方向に突出する凸部であることを特徴とする。
【００１１】
第３の態様では、第１脚部（61）における第２脚部（62）と対向しない側の面、つまり外側の面に前記第２方向に突出して形成された凸部からなる第１係合部（64）を用い、補助バランスウェイト（70）を主バランスウェイト（60）に取り付けることができる。
【００１２】
本開示の第４の態様は、第１から第３の態様の何れか１つにおいて、
前記第２方向において前記第１脚部（61）から前記第２脚部（62）に近づく方向に伸びる第１係止部（65）と、
前記第２方向において前記第２脚部（62）から前記第１脚部（61）に近づく方向に伸びる第２係止部（66）と、を有することを特徴とする。
【００１３】
第４の態様では、羽根車（30）の一部を第１脚部（61）と第２脚部（62）で挟み込む構成において、第１係止部（65）が第１脚部（61）から前記第２方向において第２脚部（62）に向かって形成され、第２係止部（66）が第２脚部（62）から前記第２方向において第１脚部（61）に向かって形成されているので、主バランスウェイト（60）が羽根車（30）から外れたり、取り付けた位置から動いたりしにくくなり、主バランスウェイト（60）の位置が安定する。
【００１４】
本開示の第５の態様は、第４の態様において、
前記第１方向と前記第２方向とに直交する直交方向において、前記第１係止部（65）と前記第２係止部（66）が対向しない位置に配置されることを特徴とする。
【００１５】
第５の態様では、第１係止部（65）と第２係止部（66）とが互いに対向しない位置に形成されるので、例えば合成樹脂製で抜き勾配がある部分（ウェイト取付部）に主バランスウェイト（60）を取り付ける構成（図４Ｂ参照）において、第１係止部（65）と第２係止部（66）が異なる位置で抜き勾配部分に係止し、主バランスウェイト（60）が外れにくくなる。
【００１６】
本開示の第６の態様は、第４または第５の態様において、
前記第１係止部（65）は、前記第１方向と前記第２方向とに直交する直交方向における端部に配置され、
前記第２係止部（66）は、前記直交方向における端部に配置されていることを特徴とする。
【００１７】
第６の態様では、第１係止部（65）が第１脚部（61）の端部に形成され、第２係止部（66）が第２脚部（62）の端部に形成されるので、第１係止部（65）と第２係止部（66）の距離が離れることになり、合成樹脂製で抜き勾配がある部分（ウェイト取付部）に主バランスウェイト（60）を取り付ける図４Ｂの構成において、主バランスウェイト（60）の外れにくさを高められる。
【００１８】
本開示の第７の態様は、第１から第６の態様の何れか１つにおいて、
前記第１脚部（61）及び第２脚部（62）は、前記第１方向の長さが、前記第１方向と前記第２方向とに直交する直交方向の長さよりも長いことを特徴とする。
【００１９】
第７の態様では、前記第１方向の長さ（主バランスウェイト（60）の第１脚部（61）及び第２脚部（62）の長さ）が、前記直交方向の長さ（第１脚部（61）及び第２脚部（62）の幅）よりも長く、主バランスウェイト（60）の幅が狭いため、主バランスウェイト（60）を羽根車（30）の狭い位置にでも容易に取り付けることができる。
【００２０】
本開示の第８の態様は、第１から第７の態様の何れか１つにおいて、
前記第１脚部（61）は、前記第１脚部（61）が前記湾曲部（63）から伸びる延在方向において、前記延在方向の中心と前記湾曲部（63）と反対側の端部との間に前記第１係合部（64）が配置されることを特徴とする。
【００２１】
第８の態様では、第１係合部（64）が第１脚部（61）の中心、または中心から先端（湾曲部（63）と反対側の端部）寄りに形成され、第１係合部（64）から湾曲部（63）までの距離が長くなるので、主バランスウェイト（60）に補助バランスウェイト（70）を取り付けた場合に、補助バランスウェイト（70）が外れるおそれが少なくなる。
【００２２】
本開示の第９の態様は、第１から第８の態様の何れか１つのバランスウェイトにおいて、
さらに、補助バランスウェイト（70）を備え、
前記補助バランスウェイト（70）は、前記第１方向に延びる第３脚部（71）と、前記第２方向において前記第３脚部と対向する第４脚部（72）と、Ｕ字形状に湾曲し第１方向の一端において前記第３脚部（71）と前記第４脚部（72）とに連続する第２湾曲部（73）と、前記第１脚部と前記第２脚部とを前記補助バランスウェイトで挟んだときに前記第１係合部（64）と係合可能な第２係合部（74）を有することを特徴とする。
【００２３】
第９の態様では、補助バランスウェイト（70）は、主バランスウェイト（60）と同様にＵ字状の部材であり、第３脚部（71）と第４脚部（72）が主バランスウェイト（60）の第１脚部（61）と第２脚部（62）を挟んだときに、第２係合部（74）が第１係合部（64）に係合して抜け止めになり、補助バランスウェイト（70）が主バランスウェイト（60）に取り付けられる。
【００２４】
本開示の第１０の態様は、第９の態様において、
前記第２係合部（74）は、前記第３脚部（71）と前記第４脚部（72）とに設けられていることを特徴とする。
【００２５】
第１０の態様では、第２係合部（74）が第３脚部（71）と第４脚部（72）に設けられているため、主バランスウェイト（60）に補助バランスウェイト（70）を取り付ける向きにかかわらず第１係合部（64）と第２係合部（74）が係合し、取り付け状態が安定する。
【００２６】
本開示の第１１の態様は、第９または第１０の態様において、
前記第２係合部（74）は、前記第３脚部（71）及び第４脚部（72）に設けられ前記第１係合部（64）と係合するように設けられた凸部、凹部、切欠き、開口のいずれかであることを特徴とする。
【００２７】
第１１の態様では、主バランスウェイト（60）と補助バランスウェイト（70）が、第１係合部（64）及び第２係合部（74）として形成される凸部、凹部、切欠き、開口により係合する。
【００２８】
本開示の第１２の態様は、第９から第１１の態様の何れか１つにおいて、
前記第１係合部（64）は、前記第１脚部（61）の前記第２脚部（62）と対向しない側の面から前記第２方向に突出する凸部であり、
前記第２係合部（74）は、第１係合部（64）と係合する開口であることを特徴とする。
【００２９】
第１２の態様では、主バランスウェイト（60）と補助バランスウェイト（70）が、第１係合部（64）である凸部と第２係合部（74）である開口により係合する。
【００３０】
本開示の第１３の態様は、
羽根車（30）と、羽根車（30）が有するハブ（31）のウェイト取付部（51，52）に取り付けられたバランスウェイト（50）とを有する送風機であって、
前記バランスウェイト（50）が、第１から第１２の態様の何れか１つのバランスウェイトであることを特徴とする。
【００３１】
第１３の態様では、羽根車（30）のウェイト取付部（51，52）に、主バランスウェイト（60）を単独で装着するか、主バランスウェイト（60）と補助バランスウェイト（70）を組み合わせて装着することにより、羽根車（30）の回転を安定させることができる。
【００３２】
本開示の第１４の態様は、第１３の態様において、
前記ハブ（31）のウェイト取付部（51，52）が、前記ハブ（31）の筒状部の内側に放射状に配置された複数の板状の部分であり、
複数のウェイト取付部（51，52）に前記バランスウェイト（50）が取り付けられている
ことを特徴とする。
【００３３】
第１４の態様では、羽根車（30）の複数のウェイト取付部（51，52）に、それぞれ、主バランスウェイト（60）を単独で装着するか、主バランスウェイト（60）と補助バランスウェイト（70）を組み合わせて装着することにより、羽根車（30）の回転を安定させることができる。
【図面の簡単な説明】
【００３４】
【図１】図１は、実施形態に係る送風機の概略構成を示す部分断面正面図である。
【図２】図２は、図１の送風機の羽根車の底面図である。
【図３】図３は、ハブの第１の断面図である。
【図４Ａ】図４Ａは、ハブの第２の断面図である。
【図４Ｂ】図４Ｂは、図４ＡのIVＢ−IVＢ断面図である。
【図５】図５は、ウェイト取付部に取り付けたバランスウェイトの第１の側面図である。
【図６】図６は、ウェイト取付部に取り付けたバランスウェイトの第２の側面図である。
【図７Ａ】図７Ａは、主バランスウェイトの正面図である。
【図７Ｂ】図７Ｂは、主バランスウェイトの底面図である。
【図７Ｃ】図７Ｃは、主バランスウェイトの側面図である。
【図８Ａ】図８Ａは、補助バランスウェイトの正面図である。
【図８Ｂ】図８Ｂは、補助バランスウェイトの側面図である。
【発明を実施するための形態】
【００３５】
実施形態の送風機（10）について図面を参照しながら説明する。
【００３６】
〈全体構成〉
送風機（10）は、例えば空気調和機の室外ユニットに適用され、室外ユニット内の室外熱交換器に送風するのに用いられる。この送風機（10）は、軸流送風機であるプロペラファンで構成されている。図１に示すように、送風機（10）は、電動機（11）と、電動機（11）によって回転駆動される回転軸（20）と、回転軸（20）に連結された羽根車（30）とを備えている。
【００３７】
〈羽根車〉
図１，図２に示すように、羽根車（30）は、略円筒状の１つのハブ（31）と、ハブ（31）の外周面に支持される複数（この実施形態では３枚）の翼（40a〜40c）とを備えている。１つのハブ（31）と３枚の翼（40a〜40c）とは、一体に形成されている。羽根車（30）の材質は、例えば合成樹脂である。
【００３８】
〈ハブ〉
図３は、ハブ（31）の断面図である。図３に示すように、ハブ（31）は、外筒（32）、第１端板（33）、及びボス部（35）を有する。外筒（32）は、中空円筒状に形成されている。第１端板（33）は、外筒（32）と一体に形成され、外筒（32）の軸方向の一端側（電動機（11）と反対側）の開口を閉塞する。ボス部（35）は、第１端板（33）の内壁の中央部からハブ（31）の内方へ突出している。ボス部（35）は、ハブ（31）の中心に形成され、送風機（10）の回転中心となる電動機（11）の回転軸（20）に連結される。
【００３９】
図２に示すように、ハブ（31）は、放射状にのびる６枚の第１リブ（36）を有している。第１リブ（36）は、後述のバランサー（バランスウェイト）（50）を取り付けるための第１のウェイト取付部（51）として用いられている。
【００４０】
この第１リブ（36）は、それぞれ、ハブ（31）の径方向線上に形成された板状の部分である。第１リブ（36）は、ボス部（35）の外周面から外筒（32）の内周面まで形成されていて、かつボス部（35）側の高さ寸法より外筒（32）側の高さ寸法が大きい板状の部分である。第１リブ（36）には、バランサー（50）が、第１リブの外筒（32）寄りの位置に装着されている。
【００４１】
ハブ（31）には、各第１リブ（36）の間に、図２及び図４に示すように、外筒（32）の内面と第１端板（33）で形成される角部に、高さの低い複数枚の第２リブ（37）が形成されている。第２リブ（37）は、バランサー（50）を取り付けるための第２のウェイト取付部（52）として用いられている。各第２リブ（37）は、第１リブ（36）より長さが短く、ハブ（31）の径方向にのびる平板状の部分である。
【００４２】
〈翼〉
図２に示すように、翼（40a〜40c）は、ハブ（31）の外周面から外側へ突出するように配置されている。３枚の翼（40a〜40c）は、ハブ（31）の周方向に所定の間隔をおいて配置されている。各翼（40a〜40c）は、羽根車（30）の径方向の外側に向かって広がる形状となっている。
【００４３】
各翼（40a〜40c）は、羽根車（30）の径方向の中心側（即ち、ハブ（31）側）の端部が翼元（41a〜41c）であり、羽根車（30）の径方向の外側の端部が翼端（42a〜42c）である。各翼（40a〜40c）の翼元（41a〜41c）は、ハブ（31）に接合されている。
【００４４】
各翼（40a〜40c）は、羽根車（30）の回転方向の前側の縁部が前縁（43a〜43c）であり、羽根車（30）の回転方向の後側の縁部が後縁（44a〜44c）である。各翼（40a〜40c）の前縁（43a〜43c）及び後縁（44a〜44c）は、翼元（41a〜41c）から翼端（42a〜42c）へ向かって羽根車（30）の外周側へ延びている。
【００４５】
各翼（40a〜40c）は、羽根車（30）の回転中心である回転軸（20）と直交する平面に対して傾いている。各翼（40a〜40c）は、羽根車（30）の回転方向の前側の面が正圧面になり、羽根車（30）の回転方向の後側の面が負圧面になるよう構成されている。
【００４６】
本実施形態の羽根車（30）では、各翼（40a〜40c）の周方向ピッチ（θ１,θ２,θ３）が互いに異なっている。つまり、この羽根車（30）は、不等ピッチで配置された複数の翼（40a〜40c）を有している。一方、各翼（40a〜40c）は、羽根車（30）の重心を羽根車（30）の回転軸（20）に近づけるように、それぞれの形状や厚さ寸法が互いに異なっているため、少なくとも１枚の翼は回転の軸方向の重心位置が他の翼とは異なる。なお、各翼（40a〜40c）の具体的な形状や厚さ寸法は、ハブ（31）と各翼（40a〜40c）の形状や大きさ、各翼（40a〜40c）の周方向ピッチ（θ１,θ２,θ３）、さらには求められる重心位置など、羽根車（30）の各部の具体的な値に応じて設計される。
【００４７】
〈バランサー〉
図５〜図８は、バランサー（50）の構成を示す図である。この実施形態のバランサー（50）は、Ｕ字形状をした二股クリップ状のバランスウェイトにより構成されている、このバランサー（50）は、二枚を重ねて使用できる構造であって、内側の部材であるサイズの小さな主バランスウェイト（60）と、外側の部材であるサイズの大きな補助バランスウェイト（70）とから構成されている。なお、図５〜図８は、Ｕ字状の湾曲部分を上方にして表しており、図３においてハブ（31）に装着した状態と上下が反転している。
【００４８】
〈主バランスウェイト〉
主バランスウェイト（60）は、図５に示すように補助バランスウェイト（70）と組み合わせて使用することもでき、図６に示すように単独で使用することもできるバランスウェイトであり、前記羽根車（30）（具体的にはウェイト取付部（51，52））に取り付け可能に構成されている。主バランスウェイト（60）は、弾性を有する金属の板材で形成されている。
【００４９】
主バランスウェイト（60）は、第１脚部（61）と、第２脚部（62）と、湾曲部（63）とを有している。第１脚部（61）は第１方向（図７Ａ参照）に延びている。第２脚部（62）は、第１方向と直交またはほぼ直交する第２方向において前記第１脚部と対向している。湾曲部（63）は、Ｕ字形状に湾曲し、前記第１方向の一端において前記第１脚部（61）と前記第２脚部（62）とに連続している。第１脚部（61）と第２脚部（62）の他端側（湾曲部（63）の反対側）は開放端であり、湾曲部（63）側の端部から開放端へ向かってわずかに間隔が狭くなるように第１脚部（61）と第２脚部（62）が傾斜している。主バランスウェイト（60）は、図５，図６に示すように、第１脚部（61）と第２脚部（62）でウェイト取付部（51，52）を挟み込むことにより、ウェイト取付部（51，52）に装着されている。
【００５０】
主バランスウェイト（60）は、主バランスウェイト（60）とは別の部材である補助バランスウェイト（70）が係合可能な第１係合部（64）を有している。この実施形態では、第１係合部（64）は、第１脚部（61）において第２脚部（62）と対向しない側の面、つまり主バランスウェイト（60）の外側の面から前記第２方向に突出する半球状の凸部により構成されている。この第１係合部（64）は、主バランスウェイト（60）をプレス加工することにより形成されている。
【００５１】
なお、補助バランスウェイト（70）には、第１係合部（64）と係合する第２係合部（74）が形成されている。補助バランスウェイト（70）の具体的な構成は後述する。
【００５２】
第１脚部（61）及び第２脚部（62）は、第１脚部（61）及び第２脚部（62）の前記第１方向の長さ寸法（Ｌ）が、前記第１方向と前記第２方向とに直交する直交方向の長さ寸法、つまり幅寸法（Ｗ）よりも長い。そして、前記第１係合部（64）は、前記第１方向における前記第１脚部の中心に配置されている。第１係合部（64）は、前記第１方向における前記第１脚部の中心位置よりも前記第１脚部の前記湾曲部とは反対の端部側（図７Ａにおいて第１脚部の高さ方向の中心から下方の位置）に配置してもよい。
【００５３】
主バランスウェイト（61）は、第１脚部（61）に形成された第１係止部（65）と、第２脚部（62）に形成された第２係止部（66）とを有している。図７Ａ〜図７Ｃに示すように、第１係止部（65）は、前記第２方向において第１脚部（61）から第２脚部（62）へ近づく方向へのび、かつ先端部が湾曲部（63）へ向かって傾斜している。第２係止部（66）は、前記第２方向において第２脚部（62）から第１脚部（61）へ近づく方向へのび、かつ先端部が湾曲部（63）へ向かって傾斜している。第１係止部（65）と第２係止部（66）は、第１脚部（61）と第２脚部（62）との間で互いに向かい合うように突出する角形の突起を形成している。
【００５４】
第１係止部（65）と第２係止部（66）は、前記第１方向と前記第２方向とに直交する直交方向において、前記第１係止部（65）と前記第２係止部（66）が対向しない位置に配置されている。つまり、第１係止部（65）と第２係止部（66）は、図７Ａにおいて、主バランスウェイト（60）の幅方向へ互いに位置がずれている。
【００５５】
具体的には、第１係止部（65）は第１脚部（61）における図７Ａ及び図７Ｂの右側の端部に形成され、第２係止部（66）は第２脚部（62）における図７Ａ及び図７Ｂの左側の端部に形成されている。言い換えると、前記第１係止部（65）は、前記第１方向と前記第２方向とに直交する直交方向における端部に配置されている。また、前記第２係止部（66）は、前記直交方向における端部に配置されている。この実施形態では、第１脚部（61）と第２脚部（62）の幅寸法は同じである。ただし、第１脚部（61）と第２脚部（62）の幅寸法は互いに異なっていてもよい。
【００５６】
上記構成では、ウェイト取付部（52）である第２リブ（37）を成形する際にできる抜き勾配に対して、第１係止部（65）と第２係止部（66）が異なる位置で係止する。したがって、主バランスウェイト（61）がウェイト取付部（52）から外れにくくなる。
【００５７】
〈補助バランスウェイト〉
図８Ａ及び図８Ｂに示す補助バランスウェイト（70）は、第３脚部（71）と、第４脚部（72）と、第２湾曲部（73）とを有している。第３脚部（71）は、前記第１方向に延びている。第４脚部（72）は、前記第２方向において前記第３脚部と対向している。第２湾曲部（73）は、Ｕ字形状に湾曲し、前記第１方向の一端において前記第３脚部（71）と前記第４脚部（72）とに連続している。補助バランスウェイト（70）は、第３脚部（71）と第４脚部（72）における第２湾曲部（73）の反対側が開放端であり、第２湾曲部（73）側から開放端側へ向かってわずかに間隔が狭くなるように、第３脚部（71）と第４脚部（72）が傾斜している。前記第１脚部（61）と前記第２脚部（62）とを前記補助バランスウェイト（70）で挟んだときに、前記第１係合部（64）と係合可能な第２係合部（74）を有している。
【００５８】
補助バランスウェイト（70）には、主バランスウェイト（60）の第１係合部（64）と係合する第２係合部（74）が形成されている。第２係合部（74）は、第３脚部（71）と第４脚部（72）の両方に形成されている。主バランスウェイト（60）の第１係合部（64）が、前記第１脚部（61）の前記第２脚部（62）と対向しない側の面から前記第２方向に突出する半球状の凸部であるのに対して、第２係合部（74）は、第１係合部（64）と係合する円形の開口である。
【００５９】
補助バランスウェイト（70）の第４脚部（72）の開放側の先端部分には、外側に向かって傾斜したガイド部（75）が形成されている。このガイド部（75）を設けることにより、第３脚部（71）と第４脚部（72）の間隔が主バランスウェイト（60）の湾曲部（63）の外径よりも広くなり、主バランスウェイト（60）に対する補助バランスウェイト（70）の取り付け容易性が高められている。
【００６０】
−実施形態の作用・効果−
本実施形態では、送風機（10）の羽根車（30）に取り付け可能なバランスウェイトとして、第１方向に延びる第１脚部（61）と、第１方向と直交またはほぼ直交する第２方向において前記第１脚部と対向する第２脚部（62）と、Ｕ字形状に湾曲し、前記第１方向の一端において前記第１脚部（61）と前記第２脚部（62）とに連続する湾曲部（63）と、を有し、前記第１脚部（61）と前記第２脚部（62）で挟み込むことで前記羽根車（30）に装着される主バランスウェイト（60）を単独で用いることができるようにしている。また、主バランスウェイト（60）には、主バランスウェイト（60）とは別の部材である補助バランスウェイト（70）が係合可能な第１係合部（64）を設けている。
【００６１】
本実施形態によれば、羽根車（30）の所定位置であるウェイト取付部（51，52）を、第１脚部（61）と第２脚部（62）で挟み込むことにより主バランスウェイト（60）を装着し、１つの主バランスウェイト（60）で羽根車（30）のバランスを取ることができる。主バランスウェイト（60）には、別の部材である補助バランスェイト（70）が係合可能な第１係合部（64）が設けられているので、主バランスウェイト（60）と補助バランスウェイト（70）を組み合わせて用いることもできる。したがって、１枚の主バランスウェイト（60）だけで重心位置を調整することができるうえ、羽根車（30）の重心位置を主バランスウェイト（60）１つだけでは調整できない場合に、補助バランスウェイト（70）を主バランスウェイト（60）に取り付けることで、一つ分のバランスウェイトのスペースで大きなアンバランス量も調整可能になる。
【００６２】
本実施形態では、主バランスウェイト（60）の第１係合部（64）を前記第１脚部（61）の前記第２脚部（62）と対向しない側の面から突出する凸部により構成し、補助バランスウェイト（70）の第２係合部（74）を第１係合部（64）と係合する開口により構成しているので、簡単な構成で主バランスウェイト（60）に補助バランスウェイト（70）を取り付けることができる。また、第１係合部（64）を第１脚部（61）の外面（前記第２脚部（62）と対向しない側の面）の凸部にしているので、第１係合部（64）をプレス加工により簡単に形成することができる。
【００６３】
本実施形態では、羽根車（30）の一部を第１脚部（61）と第２脚部（62）で挟み込む構成において、第１係止部（65）が前記第２方向において第１脚部（61）から第２脚部（62）に近づく方向へのび、第２係止部（66）が前記第２方向において第２脚部（62）から第１脚部（61）に向かって形成されているので、合成樹脂で形成されるハブ（30）に金属で形成される主バランスウェイト（60）がしっかりと係合し、主バランスウェイト（60）が羽根車（30）から外れたり、取り付けた位置から動いたりしにくくなり、主バランスウェイト（60）の位置が安定する。特に、本実施形態では、第１係止部（65）と第２係止部（66）とを第１脚部（61）と第２脚部（62）の互いに対向しない位置に形成し、しかも第１係止部（65）と第２係止部（66）を第１脚部（61）と第２脚部（62）の端部に形成しているので、合成樹脂製で抜き勾配があるウェイト取付部（51，52）に主バランスウェイト（60）を取り付ける図４Ｂの構成において、第１係止部（65）と第２係止部（66）が異なる位置で抜き勾配部分に係止し、主バランスウェイト（60）が外れにくくなる。
【００６４】
また、本実施形態では、主バランスウェイト（60）の第１脚部（61）及び第２脚部（62）の前記第１方向の長さが、第１脚部（61）及び第２脚部（62）の幅（前記第１方向と前記第２方向とに直交する直交方向の長さ）よりも長く、幅が狭いため、主バランスウェイト（60）を羽根車（30）の狭い位置にでも容易に取り付けることができる。
【００６５】
本実施形態では、第１係合部（64）が第１脚部（61）の中心、または中心から先端（湾曲部（63）と反対側の端部）寄りに形成され、第１係合部（64）から湾曲部（63）までの距離が長くなるので、主バランスウェイト（60）に補助バランスウェイト（70）を取り付けた場合に、補助バランスウェイト（70）が外れるおそれが少なくなる。
【００６６】
本実施形態では、補助バランスウェイト（70）が、主バランスウェイト（60）と同様にＵ字状の部材であり、第３脚部（71）と第４脚部（72）が主バランスウェイト（60）の第１脚部（61）と第２脚部（62）を挟んだときに、第２係合部（74）が第１係合部（64）に係合して抜け止めになる。このように、主バランスウェイト（60）の第１係合部（64）と補助バランスウェイト（70）の第２係合部（74）が係合し、抜け止めとなるので、バランサー（50）がハブ（30）に安定して装着される。
【００６７】
本実施形態では、開口である第２係合部（74）が第３脚部（71）と第４脚部（72）に設けられているため、主バランスウェイト（60）に補助バランスウェイト（70）を取り付ける向きにかかわらず、第１係合部（64）と第２係合部（74）が係合する。よって、取り付け状態が安定する。
【００６８】
−実施形態の変形例−
前記実施形態において、第１係合部（64）は、凸部のほかに、凹部、切欠き、開口など、形状を変更してもよい。また、第２係合部（74）も、第１係合部（64）と係合する形状であれば、前記実施形態の開口に限らず、凸部、凹部、切欠きなど、形状を変更してもよい。
【００６９】
この変形例では、第１脚部（61）に設けられた凸部、凹部、切欠き、開口からなる第１係合部（64）に対して係合する構成部分を、補助バランスウェイト（70）に種々の態様（凸部、凹部、切欠きなど）で設けることにより、補助バランスウェイト（70）を主バランスウェイト（60）の第１脚部（61）に容易に装着できる。
【００７０】
《その他の実施形態》
前記実施形態については、以下のような構成としてもよい。
【００７１】
前記実施形態や変形例では、バランサー（50）の主バランスウェイト（60）と補助バランスウェイト（70）の両方をＵ字形状の部材で形成しているが、主バランスウェイト（60）がＵ字状でハブ（30）に装着できるようになっている限り、補助バランスウェイト（70）はＵ字状でなくてもよいし、各バランスウェイト（60，70）の具体的な形状は適宜変更してもよい。
【００７２】
前記実施形態では、各翼（40a〜40c）の肉厚や形状が互いに異なる不等ピッチの羽根車（30）について説明したが、羽根車（30）は、少なくとも1枚は形状が異なる複数の翼を有するものでなくてもよいし、不等ピッチでなくてもよく、全ての翼が同じ形状で等ピッチの羽根車であってもよい。また、翼（40a〜40c）の枚数は３枚に限らず、２枚や４枚でもよいし、その他の枚数でもよい。
【００７３】
前記実施形態では軸流送風機であるプロペラファンについて説明したが、本開示の技術はターボファンなど、他の形式の送風機にも適用できる。
【００７４】
以上、実施形態および変形例を説明したが、特許請求の範囲の趣旨および範囲から逸脱することなく、形態や詳細の多様な変更が可能である。また、以上の実施形態および変形例は、本開示の対象の機能を損なわない限り、適宜組み合わせたり、置換したりしてもよい。
【産業上の利用可能性】
【００７５】
以上説明したように、本開示は、バランスウェイト及び送風機について有用である。
【符号の説明】
【００７６】
10    送風機
30    羽根車
31    ハブ
50    バランサー（バランスウェイト）
51    第１ウェイト取付部
52    第２ウェイト取付部
60    主バランスウェイト
61    第１脚部
62    第２脚部
63    湾曲部
64    第１係合部
65    第１係止部
66    第２係止部
70    補助バランスウェイト
71    第３脚部
72    第４脚部
73    第２湾曲部
74    第２係合部
【図１】
2019218865.tif 000003
【図２】
2019218865.tif 000004
【図３】
2019218865.tif 000005
【図４Ａ】
2019218865.tif 000006
【図４Ｂ】
2019218865.tif 000007
【図５】
2019218865.tif 000008
【図６】
2019218865.tif 000009
【図７Ａ】
2019218865.tif 000010
【図７Ｂ】
2019218865.tif 000011
【図７Ｃ】
2019218865.tif 000012
【図８Ａ】
2019218865.tif 000013
【図８Ｂ】
2019218865.tif 000014